(57)【要約】【課題】電線の径寸法の大小に拘わらず、良好に電線を保持することができる端子金具を提供する。【解決手段】インシュレーションバレル２０は、電線３０を受け入れる基部２３と、基部２３の両側縁２６，２７に設けた一対のかしめ片２４，２５とからなり、両かしめ片２４，２５は、電線３０の被覆３２における前後に異なる部位にかしめ付けられる配置とされる。後側のかしめ片２５は、使用が想定されるうちで最も径寸法がおおきい電線３０Ａの頂点部３３Ａをかしめ付けることができるよう、前側のかしめ片２４よりも長さ寸法が大きく形成されている。基部２３における前側のかしめ片２４が連結された側縁２６は、使用が想定されるうちで最も径寸法が小さい電線３０Ｂをかしめ付けたときに後側のかしめ片２５の先端部との干渉が回避されるよう、反対側の側縁２７よりも低く形成されている。【選択図】  図９
2004319226.tif 000002
【特許請求の範囲】
【請求項１】
電線を受け入れ可能な基部を備え、この基部における一方の側縁と他方の側縁とには、内側に傾倒されることで電線にかしめ付けられる一方のかしめ片と他方のかしめ片とがそれぞれ設けられるとともに、両かしめ片が電線における前後に異なる部位に対してかしめ付けられる配置となっているものにおいて、
前記一方のかしめ片は、使用が想定されるうちで最も径寸法が大きい電線の頂点部をかしめ付けることができるよう、前記他方のかしめ片よりも長さ寸法が大きく形成されている一方、前記基部における前記他方の側縁は、使用が想定されるうちで最も径寸法が小さい電線をかしめ付けたときに前記一方のかしめ片の先端部との干渉が回避されるよう、前記一方の側縁よりも低く形成されていることを特徴とする端子金具。
【請求項２】
前記一方のかしめ片は、前記他方のかしめ片よりも後方に配されるとともに、前記基部における前記他方の側縁は、当該端子金具の後端部に配されていることを特徴とする請求項１記載の端子金具。
【発明の詳細な説明】
【０００１】
【発明の属する技術分野】
本発明は、かしめ片を備えた端子金具に関する。
【０００２】
【従来の技術】
従来、電線を保持するためのかしめ片を備えた端子金具の一例として下記特許文献１に記載されたものが知られている。このものは、上方へ開口した略Ｕ字型をなす基部と、基部の両側縁からそれぞれ突設されるとともに互いに前後にずれた位置に配される一対のかしめ片とを備えており、上方から電線を基部内に収容した状態で両かしめ片を内側に傾倒させると、両かしめ片が電線の外周面における前後に異なる位置にかしめ付けられるようになっている。
【０００３】
【特許文献１】
特開２０００−３４８７８６公報
【０００４】
【発明が解決しようとする課題】
ところで、上記したような端子金具において、径寸法が異なる複数種類の電線の中から選択して接続する場合がある。その場合、かしめ片の長さ寸法は、使用が想定されるうちで最も径寸法が小さい電線をかしめ付ける際に、その先端部が基部の側縁に干渉しないような大きさに設定する必要がある。
ところが、上記のようにかしめ片の長さ寸法を設定すると、最も径寸法が大きい電線をかしめ付ける際にかしめ片の先端部が電線の頂点部にまで届かなくなることがあり、そうなると電線保持力が不足するおそれがあった。
本発明は上記のような事情に基づいて完成されたものであって、電線の径寸法の大小に拘わらず、良好に電線を保持することができる端子金具を提供することを目的とする。
【０００５】
【課題を解決するための手段】
上記の目的を達成するための手段として、請求項１の発明は、電線を受け入れ可能な基部を備え、この基部における一方の側縁と他方の側縁とには、内側に傾倒されることで電線にかしめ付けられる一方のかしめ片と他方のかしめ片とがそれぞれ設けられるとともに、両かしめ片が電線における前後に異なる部位に対してかしめ付けられる配置となっているものにおいて、前記一方のかしめ片は、使用が想定されるうちで最も径寸法が大きい電線の頂点部をかしめ付けることができるよう、前記他方のかしめ片よりも長さ寸法が大きく形成されている一方、前記基部における前記他方の側縁は、使用が想定されるうちで最も径寸法が小さい電線をかしめ付けたときに前記一方のかしめ片の先端部との干渉が回避されるよう、前記一方の側縁よりも低く形成されている構成としたところに特徴を有する。
請求項２の発明は、請求項１に記載のものにおいて、前記一方のかしめ片は、前記他方のかしめ片よりも後方に配されるとともに、前記基部における前記他方の側縁は、当該端子金具の後端部に配されているところに特徴を有する。
【０００６】
【発明の作用及び効果】
＜請求項１の発明＞
使用が想定されるうちで最も径寸法が小さい電線をかしめ付けるときは、他方のかしめ片よりも長い一方のかしめ片の先端部が他方の側縁に干渉するのを回避することができる。一方、使用が想定されるうちで最も径寸法が大きい電線をかしめ付けるときは、他方のかしめ片が電線の頂点部に届かなくても、一方のかしめ片によって電線の頂点部をかしめ付けることができ、もって電線保持力を向上させることができる。
このように本発明によれば、電線の径寸法の大小に拘わらず、良好に電線を保持することが可能な端子金具を提供することができる。
【０００７】
＜請求項２の発明＞
基部のうち一方の側縁よりも低く形成した他方の側縁を、端子金具の後端部に配するようにしたから、仮にこの他方の側縁を端子金具の途中で低く形成した場合と比較すると、端子金具の曲げ強度を高く保つことができる。
【０００８】
【発明の実施の形態】
本発明の一実施形態を図１ないし図９によって説明する。この実施形態では、雄端子金具を例示する。
雄端子金具１０は、所定の展開形状に打ち抜いた金属板に曲げ加工などを施すことにより形成されており、図１ないし図３に示すように、相手の雌端子金具（図示せず）と導通接続可能なタブ部１１と、略箱型をなす本体部１２と、電線３０の端末に圧着接続されるバレル部１３とを順次に連結した構成とされている。なお、以下では前後方向についてタブ部１１側を前方とし、バレル部１３側を後方として説明し、また上下方向については図１及び図７を除く各図を基準とする。また電線３０に関して、径寸法の大小を区別する場合には、大径のものには添え字Ａを、小径のものには添え字Ｂを付し、大小を区別せずに総称するときには添え字を付さないものとする。
【０００９】
タブ部１１は、本体部１２の前縁から延設された前後に細長い板片を長さ方向に沿って密着曲げすることで形成されている。本体部１２の上面には、所定長さ範囲にわたって凹部１４が形成されており、この凹部１４には、雄端子金具１０を図示しないハウジングのキャビティ内に挿入したときにキャビティ内に設けられたランスが進入して前縁に係止可能とされる。凹部１４の前縁には、ランスが係止可能な係止突部１５が上方へ叩き出して設けられている。本体部１２の後端の段部１６には、ハウジングに装着されるリテーナが係止可能とされる。また段部１６には、上方へ突出する突部１７が叩き出して設けられ、ここにもリテーナが係止可能とされる。また突部１７の側方位置には、ハウジング内に設けられた溝に進入することで挿入動作を案内するなどの機能を持つスタビライザ１８が突設されている。
【００１０】
バレル部１３は、電線３０のうち端末に露出した芯線３１を圧着するためのワイヤバレル１９と、電線３０のうち被覆３２の端部をかしめ付けるためのインシュレーションバレル２０とを前後に繋げた構成とされている。ワイヤバレル１９は、上方へ開口するとともに先広がり状をなす略Ｕ字型の基部２１と、基部２１の両側縁から突設される一対のかしめ片２２とから構成されている。両かしめ片２２は、基部２１の両側縁のほぼ全長にわたって連結される前後長さを有するとともに、互いに幅方向に対向して配されている。そして、基部２１内に電線３０の芯線３１を受け入れた状態で、両かしめ片２２を内側へ傾倒させると、両かしめ片２２の先端部が幅方向中央位置にて突き合わせられるとともに芯線３１に対して食い込むことで、電線３０を雄端子金具１０に圧着接続できるようになっている。
【００１１】
インシュレーションバレル２０は、上方へ開口するとともに先広がり状をなす略Ｕ字型の基部２３と、基部２３の両側縁２６，２７から突設される一対のかしめ片２４，２５とから構成されている。両かしめ片２４，２５のうち、図１に示す奥側のかしめ片２４は、側縁２６における前寄りの位置に配設されるのに対し、同図手前側のかしめ片２５は、側縁２７における後ろ寄りの位置（後端部）に配設されており、両かしめ片２４，２５は互いに前後に位置ずれして配されている。そして、基部２３内に電線３０における被覆３２の端部を受け入れた状態で、両かしめ片２４，２５を内側に傾倒させると、両かしめ片２４，２５が電線３０の被覆３２における前後に異なる部位に対して巻き付けられることで、電線３０の被覆３２を保持できるようになっている。また両かしめ片２４，２５は、前後長さが突出先端側に行くほど小さくなる先細り状に形成されており、これにより両かしめ片２４，２５をかしめたときに突出基端部同士が干渉するのが回避されている。詳しくは、前側のかしめ片２４の後面と後側のかしめ片２５の前面とが、かしめ時に互いにほぼ平行となる傾斜面とされることで、相互の干渉が回避される。また後側のかしめ片２５は、その後面が雄端子金具１０の後端面と面一状をなしている。
【００１２】
さて、この雄端子金具１０では、径寸法が異なる複数種類の電線３０から所望の径寸法の電線３０を選択して接続することができ、そのときにどの太さの電線３０でも良好に保持できるように以下の構造が採られている。すなわち、前側のかしめ片２４は、使用が想定されるうちで最も太い（最も径寸法が大きい）電線３０Ａに対してかしめ付けられるとその電線３０Ａの頂点部３３Ａ（上端部）に達しないのに対し（図９（Ａ））、後側のかしめ片２５は、前側のかしめ片２４よりも突出長さが大きく形成されており、その長さ寸法は、上記最も太い電線３０Ａに対してかしめ付けられるときに、その電線３０Ａの頂点部３３Ａを押さえ付けることができ、且つ周方向に関して前側のかしめ片２４の先端部に近接する位置に達する大きさに設定されている（図９（Ｂ））。従って、インシュレーションバレル２０によって最も太い電線３０Ａの外周面を殆ど全周にわたって覆って保持できるようになっている。
【００１３】
一方、基部２３における後側のかしめ片２５が連結された側の側縁２７は、使用が想定されるうちで最も細い（径寸法が小さい）電線３０Ｂをかしめ付けるときに、前側のかしめ片２４の先端部が干渉しないような高さ位置に設定されている（図６（Ａ））。これに対し、基部２３における前側のかしめ片２４が連結された側縁２６のうち後部２６ａ（前側のかしめ片２４よりも後側部分）、すなわちかしめ付け時に後側のかしめ片２５の先端部が接近する部分は、側縁２６における前側のかしめ片２４に連結された前部２６ｂや反対側の側縁２７よりも一段低く形成されており、その高低差は、前側のかしめ片２４と後側のかしめ片２５との長さ寸法の差にほぼ等しくなっている。従って、上記最も細い電線３０Ｂをかしめ付けるとき、後側のかしめ片２５の先端部が、基部２３における前側のかしめ片２４が連結された側縁２６に干渉するのが回避されるようになっている（図６（Ｂ））。このように基部２３の側縁２６を部分的に低く形成すると、インシュレーションバレル２０、ひいては雄端子金具１０の曲げ強度が低下することが懸念されるところではあるが、低位部分である側縁２６の後部２６ａは、雄端子金具１０の後端部に配されているので、強度低下が極力抑制されている。
【００１４】
本実施形態は以上のような構造であり、続いてその作用について説明する。まず、使用が想定されるうちで最も細い電線３０Ｂを接続する場合を説明する。電線３０Ｂを皮剥きして端末に芯線３１Ｂを露出させるとともに、その芯線３１Ｂをワイヤバレル１９の基部２１内に、被覆３２Ｂの端部をインシュレーションバレル２０の基部２３内に、それぞれ収容する（図５）。その状態で、図示しないアンビルとクリンパ等の治具を用いてワイヤバレル１９の両かしめ片２２と、インシュレーションバレル２０の両かしめ片２４，２５とをかしめ付ける。このときワイヤバレル１９の両かしめ片２２は、図４に示すように、内側の傾倒されてその先端部が芯線３１Ｂの幅方向中央部に上方から食い込みつつかしめ付けられる。これにより電線３０Ｂの芯線３１Ｂが雄端子金具１０に圧着接続される。
【００１５】
一方、インシュレーションバレル２０の両かしめ片２４，２５は、図５に示す状態から基部２３の両側部と共に内側に傾倒され、被覆３２Ｂの外周面を包み込むようにして屈曲されてかしめ付けられる。このとき、前側のかしめ片２４は、図６（Ａ）に示すように、電線３０Ｂの頂点部３３Ｂを越える位置まで達するが、その先端部に対向する側縁２７がそれよりも低い位置に形成されているので、干渉が回避される。一方、後側のかしめ片２５は、図６（Ｂ）に示すように、前側のかしめ片２４よりも長さ寸法が大きくなっており、その先端部が電線３０Ｂの頂点部３３Ｂを越えてさらに高さ方向中央付近にまで達するものの、この先端部に対向する側縁２６の後部２６ａがそれよりも低い位置に形成されているので、干渉が回避され、もって電線３０Ｂが良好にかしめ付けられる。これにより、電線３０Ｂの被覆３２Ｂが雄端子金具１０に保持される。
【００１６】
次に使用が想定されるうちで最も太い電線３０Ａを接続する場合を説明する。上記した細い電線３０Ｂのときと同様に、皮剥きした電線３０Ａをワイヤバレル１９及びインシュレーションバレル２０の基部２３に載置するとともに、図７に示すように、各かしめ片２２，２４，２５をかしめ付ける。インシュレーションバレル２０における両かしめ片２２が図８に示す状態から内側に傾倒されると、前側のかしめ片２４については、図９（Ａ）に示すように、その先端部が電線３０Ａの頂点部３３Ａよりも手前の高さ位置にまでしか達しないものの、後側のかしめ片２５は、図９（Ｂ）に示すように、その先端部が電線３０Ａの頂点部３３Ａを越えるとともに周方向について前側のかしめ片２４に近接する位置にまで達する。従って、電線３０Ａの外周面をほぼ全周にわたってかしめ付けることができ、もって高い保持力で電線３０Ａの被覆３２Ａを保持することができる。
【００１７】
以上説明したように本実施形態によれば、後側のかしめ片２５について、使用が想定されるうちで最も径寸法が大きい電線３０Ａの頂点部３３Ａをかしめ付けることができるよう、前側のかしめ片２４よりも長さ寸法を大きく形成したから、かしめ付け時に前側のかしめ片２４が電線３０Ａの頂点部３３Ａに届かなくても、後側のかしめ片２５によって電線３０Ａの頂点部３３Ａをかしめ付けることができ、電線保持力を向上させることができる。
一方、基部２３における前側のかしめ片２４を連結した側縁２６について、使用が想定されるうちで最も径寸法が小さい電線３０Ｂをかしめ付けたときに後側のかしめ片２５の先端部との干渉が回避されるよう、後側のかしめ片２５を連結した側縁２７よりも低く形成したから、後側のかしめ片２５が前側のかしめ片２４よりも長くても、電線３０Ｂを良好にかしめ付けて保持することができる。
このように本実施形態によれば、電線３０の径寸法の大小に拘わらず、良好に電線３０を保持することが可能な雄端子金具１０を提供することができる。
【００１８】
さらには、基部２３のうち、前側のかしめ片２４が連結された側縁２６の後部２６ａは、後側のかしめ片２５が連結された側縁２７よりも低く形成されているものの、雄端子金具１０の後端部に配されているから、仮に前側のかしめ片２４を後側のかしめ片２５よりも長く形成して、後側のかしめ片２５が連結された側縁２７のうち後側のかしめ片２５とワイヤバレル１９との間の部分、すなわち雄端子金具１０における途中の部分を低く形成した場合と比較して、雄端子金具１０の曲げ強度を高く保つことができる。
【００１９】
なお、本実施形態の説明では、使用が想定されるうちで最も太い電線３０Ａと最も細い電線３０Ｂの２種類を取り上げたが、その中間の径寸法の電線３０を接続することも勿論可能である。
【００２０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態とは逆に、前側のかしめ片を後側のかしめ片よりも長く形成し、基部のうち後側のかしめ片が連結された側縁を反対側の側縁よりも低く形成して前側のかしめ片の先端部を逃がすようにしたものも本発明に含まれる。
【００２１】
（２）上記した実施形態では、タブ部を備えた雄端子金具を例示したが、タブ部が導通接続される雌端子金具についても本発明は同様に適用可能である。
（３）上記した実施形態では、電線の芯線に圧着接続されるワイヤバレルを備えた圧着型端子金具を例示したが、電線の芯線に圧接接続される圧接部を備えた圧接型端子金具にも本発明は適用可能である。
【図面の簡単な説明】
【図１】本発明の一実施形態に係る雄端子金具の平面図
【図２】雄端子金具の左側面図
【図３】雄端子金具の右側面図
【図４】使用が想定されるうちで最も細い電線を接続した雄端子金具の右側面図
【図５】（Ａ）両かしめ片をかしめ付ける前の状態を示す図４のＡ−Ａ線断面図
（Ｂ）両かしめ片をかしめ付ける前の状態を示す図４のＢ−Ｂ線断面図
【図６】（Ａ）両かしめ片をかしめ付けた後の状態を示す図４のＡ−Ａ線断面図
（Ｂ）両かしめ片をかしめ付けた後の状態を示す図４のＢ−Ｂ線断面図
【図７】使用が想定されるうちで最も太い電線を接続した雄端子金具の平面図
【図８】（Ａ）両かしめ片をかしめ付ける前の状態を示す図７のＡ−Ａ線断面図
（Ｂ）両かしめ片をかしめ付ける前の状態を示す図７のＢ−Ｂ線断面図
【図９】（Ａ）両かしめ片をかしめ付けた後の状態を示す図７のＡ−Ａ線断面図
（Ｂ）両かしめ片をかしめ付けた後の状態を示す図７のＢ−Ｂ線断面図
【符号の説明】
１０…雄端子金具（端子金具）
２３…基部
２４…かしめ片（他方のかしめ片）
２５…かしめ片（一方のかしめ片）
２６…側縁（他方の側縁）
２７…側縁（一方の側縁）
３０Ａ…電線（最も径寸法が大きい電線）
３０Ｂ…電線（最も径寸法が小さい電線）
３３Ａ…頂点部
【図１】
2004319226.tif 000003
【図２】
2004319226.tif 000004
【図３】
2004319226.tif 000005
【図４】
2004319226.tif 000006
【図５】
2004319226.tif 000007
【図６】
2004319226.tif 000008
【図７】
2004319226.tif 000009
【図８】
2004319226.tif 000010
【図９】
2004319226.tif 000011